(57)【要約】【課題】  水溶性インクを塗布するときの管理が簡易であり、水溶性インクを、模様をなすように塗布するための印刷版が不要であり、情報を表示するための部品の増加を抑制でき、接着剤の水分による水溶性インクの滲みの発生を抑制できる水濡れ判定シートの提供、及びこれらの水濡れ判定シートを備えるパック電池の提供。【解決手段】  水濡れ判定シート４は、シート４０が水に濡れた場合に水溶性インク６の滲みがシート４０の他面４０ｂに現れるようにした。また、水溶性インク６をシート４０の一面４０ａの全面に塗布した。また、他面４０ｂに文字又は模様を耐水性インクにより記入した。また、他面４０ｂに接着剤４１を塗布した。パック電池は、前述の水濡れ判定シート４を、ケースの内側にて他面４０ｂが窓に対向するようにした。また、ケースの外側にて一面４０ａが窓に対向するようにした。【選択図】        図２
2005189117.tif 000002
【特許請求の範囲】
【請求項１】
水の浸透が可能なシートの一面に水溶性インクが塗布された水濡れ判定シートにおいて、
前記シートが水に濡れた場合に前記水溶性インクの滲みが前記シートの他面に現れるようになしてあることを特徴とする水濡れ判定シート。
【請求項２】
前記シートの前記他面に文字又は模様を耐水性インクにより記入してあることを特徴とする請求項１に記載の水濡れ判定シート。
【請求項３】
前記シートの前記他面に接着剤を塗布してあることを特徴とする請求項１又は２に記載の水濡れ判定シート。
【請求項４】
二次電池の外側を覆うケースに窓が設けられ、前記ケースの内側にて前記窓に対向するように水濡れ判定シートを設けてあるパック電池において、
前記水濡れ判定シートは、請求項１乃至３の何れかに記載された水濡れ判定シートであり、
前記シートの前記他面を前記窓に対向させてあることを特徴とするパック電池。
【請求項５】
二次電池の外側を覆うケースに窓が設けられ、該窓に対向するように水濡れ判定シートを設けてあるパック電池において、
前記水濡れ判定シートは、請求項１乃至３の何れかに記載された水濡れ判定シートであり、
前記ケースの外側にて前記シートの前記一面を前記窓に対向させてあり、
前記シートの前記他面に略透明な防水シートを貼着してあることを特徴とするパック電池。
【発明の詳細な説明】
【技術分野】
【０００１】
本発明は、水没したか否かを判定する水濡れ判定シート、及びこの水濡れ判定シートを備えるパック電池に関する。
【背景技術】
【０００２】
携帯電話、携帯情報端末（以下、ＰＤＡという）等の携帯機器は、使用者の不注意により水没させる場合があり、この水没により、携帯機器の電源として用いられているパック電池の内部に水が浸入することがある。パック電池は、二次電池と、携帯機器の接点に接続するための端子と、端子を露出させつつ二次電池を覆うケースとを備えており、ケースの内部に水が浸入した状態で使用された場合には、内部に浸入した水により短絡を起こして故障又は性能劣化を招来することがある。
【０００３】
このように水没が原因で故障又は性能劣化を招来したパック電池は、完全に乾燥させた場合には、水没した痕跡が残り難いことから、例えば、修理に持ち込まれても故障又は性能劣化の原因の究明が非常に困難であることが多い。このため、携帯機器を水没させてパック電池の内部に水が浸入したことの特定を容易にするために、水濡れ判定シートを備えるパック電池がある（例えば、特許文献１参照。）。
【０００４】
水濡れ判定シートは、例えば、水の浸透が可能なシートの一面に水玉模様をなすように水溶性インクを塗布したものであり、パック電池のケースの内側にてケースに設けられた窓にシートの一面が対向するように配される。また、水濡れ判定シートには、シートの一面にポリエステル製の略透明な防水シートを貼着したものもある。
【０００５】
このような水濡れ判定シートを備えることにより、ケースの内部に水が浸入した場合には、浸入した水がシートに付着して水溶性インクを滲ませるから、シートの一面に施された水玉模様が滲んで不鮮明になる。ケースの内部に水が浸入したパック電池を完全に乾燥させた場合には、シートは、水玉模様が滲んで不鮮明になった状態を保持して乾燥するから、水濡れ判定シートをケースの窓から視認することによりパック電池の内部に水が浸入したか否かが判定できる。
【特許文献１】特開平１１−１４４６９５号公報
【発明の開示】
【発明が解決しようとする課題】
【０００６】
しかしながら、前述した水濡れ判定シートは、シートの一面に施された水玉模様に滲みがあるか否かにより、水に濡れたか否かの判定をするから、水に濡れる前の状態では、水玉模様に滲みがなく鮮明でなければならない。このため、シートの一面に水溶性インクを塗布するときに滲みが発生しないようにするための管理が複雑になる、又は保管時の水分を十分に抑える必要があるという問題があった。
【０００７】
また、水玉模様となるように水溶性インクをシートの一面に塗布するために、水玉模様を彫り込んだ印刷版が必要であり、水濡れ判定シートのコストを押し上げるという問題があった。
【０００８】
また、パック電池の外側に文字、模様等の情報を表す場合に、シートの一面に文字、模様等の情報を記入し、ケースの窓から視認できるようにしても、シートの一面には、水溶性インクによる水玉模様が施されているから、文字、模様等の情報が確認し難い。このため、パック電池の外側に文字、模様等の情報を表す場合には、文字、模様等を記入したラベルをケースの外側に貼着しなければならず、部品点数が増加するという問題があった。
【０００９】
さらに、防水シートをシートに貼着するため、又は水濡れ判定シートをパック電池のケースの窓に貼着するための接着剤をシートの一面に塗布するから、接着剤が吸収した空気中の水分により水溶性インクの水玉模様が徐々に滲み、シートが水に濡れていないにも拘わらず、水濡れしたと判定される場合があるという問題があった。従来は、この問題を避けるため、パック電池の外側から見える範囲に接着剤４３を塗布しないようにしているため（図６参照）、部分的接着剤４３にするための工程を必要とし、コストを押し上げる問題となっている。
【００１０】
本発明は斯かる事情に鑑みてなされたものであり、水の浸透が可能であると共に、一面に水溶性インクが塗布されたシートを備え、該シートの他面を水濡れの判定面にできるように構成することにより、水溶性インクを塗布するときの管理が簡易な水濡れ判定シートを提供することを目的とする。
【００１１】
また、本発明は、印刷版が必要ないように水溶性インクを塗布することにより、コストを抑えることができる水濡れ判定シートを提供することを目的とする。
【００１２】
また、本発明は、シートの他面に文字、模様等の情報を明確に表示できるようにすることにより、部品点数の増加を抑制することができる水濡れ判定シートを提供することを目的とする。
【００１３】
また、本発明は、接着剤を塗布するシート面を、水溶性インクを施すシート面と異ならせることにより、接着剤が吸収した空気中の水分による水溶性インクの滲みの発生を抑制し、水濡れの判定が正確にできる水濡れ判定シートを提供することを目的とする。また、本発明は、水溶性インクを施すシート面と、接着剤を塗布するシート面とが同一ではないから、接着剤を部分的にする必要がなく、シート面の全面に接着剤を塗布することで、製作工程を簡易にしてコストを抑えた水濡れ判定シートを提供することを目的とする。
【００１４】
さらに、本発明は、前述した水濡れ判定シートを備えることにより、ケースの内部に水が浸入したことを判定できると共に、生産性の向上等によりコストを抑えたパック電池を提供することを目的とする。
【課題を解決するための手段】
【００１５】
第１発明に係る水濡れ判定シートは、水の浸透が可能なシートの一面に水溶性インクが塗布された水濡れ判定シートにおいて、前記シートが水に濡れた場合に前記水溶性インクの滲みが前記シートの他面に現れるようになしてあることを特徴とする。
【００１６】
第１発明においては、シートに水が付着した場合、水は、一面に塗布された水溶性インクを滲ませつつシートに浸透し、シートの他面に水溶性インクの滲みを形成する。シートの他面には、水に濡れることにより水溶性インクの滲みが現れるから、水濡れの判定をする判定面とすることができる。
【００１７】
第２発明に係る水濡れ判定シートは、第１発明において、前記シートの前記他面に文字又は模様を耐水性インクにより記入してあることを特徴とする。
【００１８】
第２発明においては、シートの他面に文字又は模様を耐水性インクにて記入する。シートに水が浸透した場合でも、耐水性インクは滲まず、シートの他面に記入した文字又は模様を維持できる。
【００１９】
第３発明に係る水濡れ判定シートは、第１発明又は第２発明において、前記シートの前記他面に接着剤を塗布してあることを特徴とする。
【００２０】
第３発明においては、例えば、パック電池のケースに水濡れ判定シート自身を貼着するため、又はシートに防水シートを貼着するために、シートの他面に接着剤を塗布する。
【００２１】
第４発明に係るパック電池は、二次電池の外側を覆うケースに窓が設けられ、前記ケースの内側にて前記窓に対向するように水濡れ判定シートを設けてあるパック電池において、前記水濡れ判定シートは、第１発明乃至第３発明の何れかに記載された水濡れ判定シートであり、前記シートの前記他面を前記窓に対向させてあることを特徴とする。
【００２２】
第４発明においては、第１発明乃至第３発明の何れかに記載された水濡れ判定シートを、シートの他面がケースに設けられた窓に対向するように配する。ケースの内部に浸入した水は、シートに浸透して水溶性インクを滲ませ、シートの他面に水溶性インクの滲みが現れる。
【００２３】
第５発明に係るパック電池は、二次電池の外側を覆うケースに窓が設けられ、該窓に対向するように水濡れ判定シートを設けてあるパック電池において、前記水濡れ判定シートは、第１発明乃至第３発明の何れかに記載された水濡れ判定シートであり、前記ケースの外側にて前記シートの前記一面を前記窓に対向させてあり、前記シートの前記他面に略透明な防水シートを貼着してあることを特徴とする。
【００２４】
第５発明においては、ケースの内部に浸入した水は、窓を経由してシートの一面に付着し、シートに浸透して水溶性インクを滲ませ、シートの他面に水溶性インクの滲みが現れる。なお、シートの他面側からの水濡れは、防水シートにより防止される。
【発明の効果】
【００２５】
第１発明に係る水濡れ判定シートにおいては、水の浸透が可能なシートの一面に水溶性インクを塗布すると共に、シートが水に濡れた場合に水溶性インクの滲みがシートの他面に現れるようになすことで、シートの他面を水濡れの判定面にした。従って、水溶性インクを塗布したシートの一面は、判定面ではないから、シートの一面における水溶性インクの水濡れ前の滲みの有無は問題にならず、水溶性インクを塗布するときの管理を簡易にすることができる。
【００２６】
また、第２発明に係る水濡れ判定シートにおいては、シートの他面に文字又は模様を耐水性インクにて記入するから、文字又は模様は、シートが水に濡れた場合でも滲まず維持することができる。従って、例えば、パック電池の外側に文字、模様等を記入する必要がある場合には、シートの他面に耐水性インクにて記入することにより、文字、模様等が記入されたラベルが不要になり部品点数の増加を抑制することができる。
【００２７】
また、第３発明に係る水濡れ判定シートにおいては、シートの他面に接着剤を塗布するから、接着剤が吸収した空気中の水分により水溶性インクが徐々に滲むことがなくなり、水濡れの判定が正確にできる。
【００２８】
さらに、第４発明又は第５発明に係るパック電池においては、第１発明乃至第３発明の何れかに係る水濡れ判定シートを備えるから、ケースの内部に水が浸入したことを判定することができると共に、コストを抑えることができる。
【発明を実施するための最良の形態】
【００２９】
以下、本発明をその実施の形態を示す図面に基づいて詳述する。図１は、本発明に係る水濡れ判定シートを備える本発明に係るパック電池の分解斜視図である。
【００３０】
図において１は、矩形の板状をなす二次電池であり、二次電池１の長手方向の一端部側には端子２，２，２が設けられ、二次電池１及び端子２，２，２は、直方体状をなす合成樹脂製のケース３に覆われている。ケース３は、皿状をなす２つのケース半体３０，３１により構成され、ケース半体３０，３１の周縁面３４，３４を互いに突き合わせるようにして溶着されている。ケース半体３０は、端子２，２，２をケース３の外部に露出するために長手方向の一端部側にて端子２，２，２の位置に対応して形成された孔部３２，３２，３２と、孔部３２，３２，３２の近傍に形成された窓３３とを備える。また、ケース半体３０の内面には、窓３３を閉鎖するように、防水シート５が貼着された水濡れ判定シート４が接着されている。
【００３１】
図２は、防水シート５が貼着された水濡れ判定シート４の分解斜視図である。
【００３２】
水濡れ判定シート４は、水の浸透が可能な矩形のシート４０の一面４０ａに水玉模様をなすように水溶性インク６を塗布し、シート４０が水に濡れた場合には、水溶性インク６の滲みがシート４０の他面４０ｂに現れるようになしてある。シート４０には、例えば、０．０５ｍｍ〜０．２ｍｍの厚みを有する上質紙が用いられる。
【００３３】
水濡れ判定シート４の他面４０ｂ側には、防水シート５が設けられている。防水シート５は、水濡れ判定シート４と略同一の大きさ及び形状に形成された合成樹脂製の略透明なシートであり、水濡れ判定シート４が他面４０ｂ側から水に濡れるのを防止する。防水シート５と水濡れ判定シート４との間には、水濡れ判定シート４の他面４０ｂの全面に厚さが０．０５ｍｍ〜０．０６ｍｍとなるように塗布された略透明な接着剤４１が介され、防水シート５の水濡れ判定シート４側の反対側の面には、防水シート５及び水濡れ判定シート４をケース半体３０の内面へ接着するための略透明な接着剤５０が塗布されている。
【００３４】
これらの水濡れ判定シート４及び防水シート５は、水溶性インク６による水玉模様が施された一面４０ａを下側として配された水濡れ判定シート４の上側にシート状をなすように加工された接着剤４１を載せ、接着剤４１の上側に防水シート５を載せ、防水シート５の上側に、窓３３に対応する部分を切り欠いてシート状に加工された接着剤５０を載せ、上側と下側とからプレスすることにより、水濡れ判定シート４、接着剤４１、防水シート５及び接着剤５０を接着して一体にしてある。
【００３５】
以上の構成により本発明に係るパック電池が水没し、例えば、孔部３２，３２，３２からケース３の内部に水が浸入した場合には、ケース３の内部に浸入した水が水濡れ判定シート４に付着する。水濡れ判定シート４に付着した水は、水溶性インク６を滲ませつつ水濡れ判定シート４に浸透し、水溶性インク６の滲みが水濡れ判定シート４の他面４０ｂに現れる。
【００３６】
本発明に係る水濡れ判定シート４は、水玉模様をなすように水溶性インク６をシート４０の一面４０ａに塗布すると共に、シート４０が水に濡れた場合に水溶性インク６の滲みがシート４０の他面４０ｂに現れるようになすことで、水濡れ判定シート４の他面４０ｂを水濡れの判定面にした。従って、水濡れ判定シート４の一面４０ａに施された水溶性インク６による水玉模様について、水に濡れる前における滲みの有無は問題にならないから、水溶性インク６を塗布するときの管理を簡易にすることができる。
【００３７】
また、水溶性インク６により水玉模様を施した面と、防水シート５を貼着するための接着剤４１を塗布した面とが異なるから、接着剤４１が吸収した空気中の水分により水溶性インク６が徐々に滲むことがなく、水濡れ判定シート４が水に濡れていないにも拘わらず、水濡れしたと判定されることが防止できる。さらに、接着剤４１の塗布部位を従来品のように限定する必要がなく、シート４０の他面４０ｂの全面に接着剤４１を塗布することも可能なため、塗布作業の簡略化により生産性を向上することができる。
【００３８】
以上、本発明に係る水濡れ判定シート４又はパック電池について、実施の形態に示した構成に基づいて説明したが、本発明に係る水濡れ判定シート４又はパック電池は、前述した実施の形態に示した構成に限らず、本発明の趣旨に逸脱しない範囲にて一部の構成を削除、変更又は追加した他の実施の形態として構成することも可能である。
【００３９】
例えば、前述した実施の形態では、水濡れ判定シート４は、接着剤４１、防水シート５及び接着剤５０と一体にしたが、水濡れ判定シート４、接着剤４１、防水シート５及び接着剤５０を一体にする必要はなく、水濡れ判定シート４単体としてもよい。また、水濡れ判定シート４は、接着剤５０を除き、防水シート５及び接着剤４１と一体になった構成、又は接着剤４１及び防水シート５を除き、シート４０の他面４０ｂに接着剤５０が塗布された構成としてもよく、また、図３に示すように、互いの一面４０ａ，４０ａが対向するように２つの水濡れ判定シート４，４を接着剤４２にて接着し、水濡れ判定シート４，４の両側から水濡れの判定ができるように構成してもよい。
【００４０】
また、水溶性インク６は、シート４０の一面４０ａに水玉模様をなすように塗布したが、水溶性インク６の塗布は、水玉模様に限らず、他の模様にしてもよい。また、シート４０の一面４０ａの全面に水溶性インク６を塗布してもよく、水溶性インク６をシート４０の一面４０ａの全面に塗布した場合には、模様をなすように水溶性インク６を塗布するための印刷版が不要となり、水濡れ判定シート４のコストを抑えることができる。
【００４１】
また、シート４０の厚みを０．０５ｍｍ〜０．２ｍｍとしたが、シート４０の厚みは、０．０５ｍｍ〜０．２ｍｍに限らない。また、シート４０を上質紙としたが、シート４０は上質紙に限らず、他の種類の紙でもよく、また紙に限らず布でもよい。つまり、シート４０は、水の浸透が可能なものであればよい。
【００４２】
また、接着剤４１を、水濡れ判定シート４の他面４０ｂの全面に厚さが０．０５ｍｍ〜０．０６ｍｍとなるように塗布したが、接着剤４１を塗布する厚さは、０．０５ｍｍ〜０．０６ｍｍに限らない。また、接着剤４１を塗布する範囲は、水濡れ判定シート４の他面４０ｂの全面に限らず、部分的でもよく、部分的に複数箇所としてもよい。なお、水濡れ判定シート４の他面４０ｂの全面に接着剤４１を塗布する場合には、一工程にて接着剤４１の塗布ができるから、水濡れ判定シート４の他面４０ｂの部分的な複数箇所に接着剤４１を塗布する場合よりも工程の簡略化ができ、コストも抑えることができる。
【００４３】
さらに、ケース半体３０に形成した窓３３は、例えば、透明な合成樹脂板を嵌め合わせた構成としてもよい。つまり、窓３３は、ケース３の内側に設けた水濡れ判定シート４をケース３の外側から視認できる構成であれば、開放してもよく、閉鎖してもよい。窓３３に透明な合成樹脂板を嵌め合わせた場合には、水濡れ判定シート４は、ケース半体３０の内面に接着する必要がなく、窓３３に対向していれば、例えば、二次電池１の外面に接着してもよい。
【００４４】
図４は、本発明に係る水濡れ判定シート４の他の実施の形態を示した分解斜視図である。図に示したように、水濡れ判定シート４の他面４０ｂには、耐水性インク７にて文字又は模様を記入してもよい。例えば、パック電池の製造ロットＮＯを記入することにより、製造ロットＮＯを表示するためのラベルを用いる必要がなくなり、部品点数の増加を抑制することができる。製造ロットＮＯは、耐水性インク７により水濡れ判定シート４の他面４０ｂに記入するから、水濡れ判定シート４が水に濡れた場合でも、滲むことなく表示を維持できる。なお、その他の構成及び作用は、図２で示した実施の形態と同様のため、対応する構成部材に同一の参照符号を付し、その構成及び作用の説明を省略する。
【００４５】
図５は、本発明に係るパック電池の他の実施の形態を示した斜視図である。図に示したように、水濡れ判定シート４は、ケース３に設けられた窓３３を閉鎖するように、しかも水濡れ判定シート４の一面４０ａが窓３３に対向するようにケース３の外面に接着してもよい。水濡れ判定シート４をケース３の外面に接着することにより、水濡れ判定シート４のケース３の外側から視認できる部分が大きくなり、耐水性インク７にて文字又は模様を記載できる範囲も大きくなる。なお、その他の構成及び作用は、図１で示した実施の形態と同様のため、対応する構成部材に同一の参照符号を付し、その構成及び作用の説明を省略する。
【図面の簡単な説明】
【００４６】
【図１】本発明に係る水濡れ判定シートを備える本発明に係るパック電池の分解斜視図である。
【図２】防水シートが貼着された水濡れ判定シートの分解斜視図である。
【図３】本発明に係る水濡れ判定シートの他の実施の形態を示した分解斜視図である。
【図４】本発明に係る水濡れ判定シートの他の実施の形態を示した分解斜視図である。
【図５】本発明に係るパック電池の他の実施の形態を示した斜視図である。
【図６】従来の水濡れ判定シートを示した分解斜視図である。
【符号の説明】
【００４７】
１  二次電池
３  ケース
４  水濡れ判定シート
５  防水シート
６  水溶性インク
７  耐水性インク
３３  窓
４０  シート
４０ａ  一面
４０ｂ  他面
４１  接着剤
【図１】
2005189117.tif 000003
【図２】
2005189117.tif 000004
【図３】
2005189117.tif 000005
【図４】
2005189117.tif 000006
【図５】
2005189117.tif 000007
【図６】
2005189117.tif 000008